(57)【要約】【課題】  本発明は、トイレットペーパに接着材を貼り付け便座シートとしても利用できるトイレットペーパホルダーを提供する。【解決手段】  従来のトイレットホリダーにトイレットペーパに接着シートを貼り付けるユニットを組み込み、使用者がトイレットペーパを便座紙シートとして使用したい場合に押しボタンやハンドル等を動かすことによりトイレットペーパの任意の位置に接着シートが貼り付けられる装置を提供する。【選択図】  図１
2006087886.tif 000002
【特許請求の範囲】
【請求項１】
トイレットペーパ引き出し手段と引き出し手段により搬送されたトイレットペーパの上である程度の間隙をおいた位置にある接着材供給手段、及び接着材供給手段から供給される接着材の一部をトイレットペーパに付着させる接着材貼り付け手段から構成され、使用者がトイレットペーパを便座シートとして使用したい場合に、トイレットペーパ引き出し手段により搬送されたトイレットペーパに接着材供給手段より供給された接着材の一部が接着材貼り付け手段により貼り付けられることを特徴とするトイレットペーパホルダー。
【請求項２】
トイレットペーパロールから引き出しローラによりトイレットペーパを引き出し搬送するトイレットペーパ引き出し手段と、接着テープロールをテープ巻取り装置で巻取ることにより接着テープを供給する接着材供給手段、及び接着材貼り付け手段が接着テープの上方にあって昇降ブロック、押さえブロックとその中に組み込まれた刳り抜きロットからなり、昇降ブロックが降下することにより押さえブロックが降下して当て板の上面に置かれた接着テープを押さえブロックと当て板により押さえ込み固定し、刳り抜きロットは更に降下し固定された接着テープの一部を切り取り、当て板には中心部に空隙部がありこの空隙部を通り、刳り抜きロットが下方のトイレットペーパの位置まで降下して、切り取られた接着テープが押し当てられ付着し、また、トイレットペーパに接着テープを押し当てる時に刳り抜きロットが押さえブロックのストッパーに接触して降下を停止し加圧オーバーを回避することを特徴とする請求項１に記載のトイレットペーパホルダー。
【請求項３】
トイレットペーパロールから引き出しローラによりトイレットペーパを引き出し搬送するトイレットペーパ引き出し手段と、トイレットペーパの直ぐ上に位置し接着材を容器に封入した接着材供給手段、及び接着材貼り付け手段が接着材供給手段の上方にあって昇降ブロックとその中に組み込まれ、下部が容器頂部に接した押しロットからなり、昇降ブロックの降下により押しロットが容器の接着材を押し出し、押し出された接着材がトイレットペーパ上面に落下して付着することを特徴とする請求項１に記載のトイレットペーパホルダー。
【請求項４】
接着材供給手段から供給される接着材の一部をトイレットペーパに付着させる接着材貼り付け手段に於いて、駆動装置により回転される回転ブロックと内部のシャフトの間に押さえブロック、刳り抜きロットが組み込まれており、回転ブロックの回転によりシャフトに沿って押さえブロックが一定の位置まで降下し、その後に刳り抜きロットが降下する機構で、押さえブロックが降下して当て板の上面に置かれた接着テープを押さえ、刳り抜きロットは更に降下し固定された接着テープの一部を切り取り、下方のトイレットペーパの位置まで降下して押し当て付着することを特徴とする請求項１に記載のトイレットペーパホルダー。
【発明の詳細な説明】
【技術分野】
【０００１】  本発明はトイレットペーパに接着材を貼り付け便座シートとしても利用できるように工夫したトイレットペーパホルダーに関するものである。
【背景技術】
【０００２】  従来、公共の場所等の不特定多数の人が利用する洋式トイレの便座の使い捨て便座シートや衛生シート設置装置等は、コストが高く、管理上の問題で普及していなかった。
また、使用に際し余分な部分を切取る等の手間がかかったり、便座用シートがズレたりして便座から落ち安定が悪かった。
【発明の開示】
【発明が解決しようとする課題】
【０００４】  便座シートを従来のトイレットペーパと別のシートとした場合には、材料費や加工費が余分に必要であった。
設置するスペースや供給設備が別に必要であった。
保管、消費管理が余分であった。
さらに、使用に際しシートが便座上をすべって便座から落ちたりして安定が悪かった。【０００５】  トイレットペーパに接着剤等を貼り付ける場合に含水率の多い物だと、トイレットペーパが水を吸収してしまい軟らかくなり、トイレットペーパが破れたりする。
お尻に引く場合に不快感があった。
テープ類だとテープを切り取る機構とトイレットペーパに貼り付ける機構が不安定で切り取られたテープがずれたりする。
接着テープをトイレットペーパに貼り付ける時に加圧し過ぎ裂ける場合があった。
【課題を解決するための手段】
【０００６】  本発明に係わる便座シート供給装置は請求項１に記載の様に、従来のトイレットホルダーにトイレットペーパ引き出し手段と引き出し手段により搬送されたトイレットペーパの上である程度の間隙をおいた位置にある接着材供給手段、及び接着材供給手段から供給される接着材の一部をトイレットペーパに付着させる接着材貼り付け手段を組み込んだものである。
使用者がトイレットペーパを便座シートとして使用したい場合に、接着材が貼り付けたトイレットペーパが出て来る。
あとトイレットペーパを切り取り便座に貼り付けて使用する。
なお接着材として両面の粘着紙シート、布粘着テープ等を使用して、用済み後トイレットペーパを便器に流し処理する。【０００７】  請求項２では、トイレットペーパ引き出し手段、接着材供給手段、接着材貼り付け手段の機構に関するものである。
トイレットペーパロールから引き出しローラによりトイレットペーパを引き出し搬送するトイレットペーパ引き出し手段、及びトイレットペーパの上で接着テープロールの接着テープをテープ巻取り装置で巻取ることにより接着テープを供給する接着材供給手段があり、接着材貼り付け手段は接着テープの上方にあり、降下することで接着テープの一部を切り取り、切り取った接着材をトイレットペーパ押し当て付着させる。
なお、接着材供給手段は昇降ブロック、押さえブロックとその中に組み込まれた刳り抜きロットからなり、昇降ブロックが降下することにより押さえブロックが降下して当て板の上面に置かれた接着テープを押さえブロックと当て板により四辺を押さえ込み固定する。
刳り抜きロットは更に降下し固定された接着テープの一部を切り取る。
当て板には中心部に空隙部がありこの空隙部を通り、刳り抜きロットが下方のトイレットペーパの位置まで降下して、切り取られた接着テープが押し当てられ付着する。
また、トイレットペーパに接着テープを押し当てる時に刳り抜きロットが押さえブロックのストッパーに接触して降下を停止し加圧オーバーを回避する。
これによりトイレットペーパに余分に加圧してトイレットペーパが裂けるのを防ぐ。【０００８】  請求項３では、トイレットペーパ引き出し手段、接着材供給手段、接着材貼り付け手段の機構に関するものである。
トイレットペーパロールから引き出しローラによりトイレットペーパを引き出し搬送するトイレットペーパ引き出し手段と、トイレットペーパの直ぐ上に位置し接着材を容器に封入した接着材供給手段、及び接着材貼り付け手段が接着材供給手段の上方にあって昇降ブロックとその中に組み込まれ、下部が容器頂部に接した押しロットからなり、昇降ブロックの降下により押しロットが容器の接着材を押し出す。
押し出された接着材がトイレットペーパ上面に落下して付着する。
トイレットペーパの接着材付着面側を便座に当てて固定しトイレを使用し、用済み後トイレットペーパを便器に流し処理する。
なお、押しロットが容器の接着材を押し出す力があり、接着材は含水率が少ない物が使用出来る。【０００９】  請求項４では、接着材供給手段から供給される接着材の一部をトイレットペーパに付着させる接着材貼り付け手段に関するものである。
モータ等により回転される回転ブロックと内部のシャフトの間に押さえブロック、刳り抜きロットが組み込まれている。回転ブロックの回転によりシャフトに沿って押さえブロックが一定の位置まで降下し、その後に刳り抜きロットが降下する。
押さえブロックが当て板の上面に置かれた接着テープを押さえ固定するまで降下する。
刳り抜きロットは更に降下して固定された接着テープの一部を切り取り、下方のトイレットペーパの位置まで降下して接着テープの一部を押し当て付着させる。
【発明の効果】
【００１０】  請求項１によれば、
（イ）従来のトイレットペーパを便座シートとして使用出来、省資源である。
（ロ）トイレットペーパホルダーに組み込まれており供給方法が解り易く省スペースである。
（ハ）従来の便座シートは余分な部分を切り取るなどの手間がかかり、使用に際して便座上をずれ落ちたりしたが、粘着テープが貼られたトイレットペーパを適当な長さに切り取り、便座に貼り付けてずれない。
（ニ）接着材として両面の粘着紙シート、布粘着テープ等を使用すれば使用後トイレに流して衛生的である。
（ホ）トイレットペーパと便座シートが兼用できるので余分な別資材の保管や消費管理が不要である。【００１１】  請求項２によれば、
（イ）接着テープの一部を切り取る際に、テープを当て板と押さえブロックで挟み込み四辺で固定し、刳り抜きロットで刳り抜くために、安定した切り取りが出来る。
（ロ）切り取った接着テープを刳り抜きロットでトイレットペーパに押し付け貼り付ける場合、押し付け限界位置で止まるようになっており、押し付け圧力でトイレットペーパが破れることがない。
（ホ）トイレットペーパロールから引き出しローラによりトイレットペーパを引き出し搬送するトイレットペーパ引き出し手段により、一定量のトイレットペーパが出てくるので使用する個人差による無駄がない。
また、従来トイレットペーパを引き出す際に境目が分かりにくくて捜す等煩わしさがなく老若男女に優しくて便利である。【００１２】  請求項３によれば、
（イ）構造が簡単で製作コストがやすい。
（ロ）接着材として含水率の少ない物も使用出来るのでトイレットペーパが弱くなり破ける心配がない。【００１３】  請求項４によれば、
回転機構により接着テープの刳り抜きと貼り付けが出来、構造が簡単で製作コストがやすい。
【発明を実施するための最良の形態】
【００１４】  本発明を実施するための最良の形態を説明する。
本発明のトイレットホルダーは、トイレットペーパを便座シートと兼用するものでトイレットペーパに接着材を貼り付けることが出来る装置である。
以下、実施例につき図面を参照して詳細に説明する。
【発明の実施の形態１】
【００１５】  図１は請求項１に記載のトイレットペーパホルダーの外観図である。
躯体（１）は従来のトイレットペーパホルダーと同様に壁にかけて設置する。
躯体（１）の内部には、トイレットペーパ引き出し手段と引き出し手段により搬送されたトイレットペーパの上である程度の間隙をおいた位置にある接着材供給手段、及び接着材供給手段から供給される接着材の一部をトイレットペーパに付着させる接着材貼り付け手段が設けてある。
トイレットペーパ（３）を便座シートとして使用する場合に押しボタン（２）を動かすと一定の間隔で両面テープ（４）がトイレットペーパ（３）に貼られ、取り出し口（１８）から出て来る。
両面テープとして両面の粘着紙シート、布粘着テープ等を使用し、使用後トイレに流せる様にする。粘着紙シート、布粘着テープの粘着材としては、粘着力が弱く、すぐにはがれるものを使用する。
【発明の実施の形態２】
【００１６】  請求項２に記載のトイレットペーパホルダーの断面図が図２であり、図３は平面図である。
躯体（１）の外側に設けた押しボタン（２）を押すことによりモータ（２０）が起動し、伝動歯車（２１）が回転し、ベルト（１０）を介し回転ローラ（９）が回転して昇降ブロック（７）が降下し、連結する刳り抜きロット（１４）やバネ（１２）を介して押さえブロック（１６）も当て板（１７）の位置まで下がる。
当て板（１７）の上面には両面テープがあり、押さえブロック（１６）と当て板（１７）により四辺を押さえ込み固定する。
刳り抜きロット（１４）は昇降ブロック（７）がバネ（１２）を押し込みながら更に降下し四辺固定された両面テープの一部を刳り抜き、裏当て板（１５）の位置まで降下する。
なお、押さえブロック（１６）の上部分にストッパー（１３）があり、昇降ブロック（７）の下部が当たり刳り抜きロット（１４）は停止する。
裏当て板（１５）の上面にはトイレットペーパがあり、切り取られた両面テープが押し当てられ、粘着材により付着する。
その後にモータ（２０）の逆回転により回転ローラ（９）が逆回転して昇降ブロック（７）が上昇し、連結する刳り抜きロット（１４）やバネ（１２）を介して押さえブロック（１６）も上昇する。
伝動歯車（２１）とテープ巻取り車（１１）はベルト（１０）で連結されている。
さらにテープ巻取り車（１１）と引き出しローラ（８）もベルト（１０）で連結されている。
伝動歯車（２１）の回転によりテープ巻取り車（１１）、引き出しローラ（８）が回転するが、一方向回転となっており、上昇時のみ回転を行い両面テープが巻き取られると同時に一定量のトイレットペーパが引き出される。
巻取りにより両面テープの刳り抜きロット（１４）により切り取られた部分が移動し、次回の刳り抜きが可能となる。
また、トイレットペーパの引出しによりトイレットペーパの別の位置に両面テープが貼り付けられることになる。
【発明の実施の形態３】
【００１７】  請求項３に記載のトイレットペーパホルダーの断面図が図４であり、図５は平面図である。
モータ（２０）が起動し、伝動歯車（２１）が回転し、ベルト（１０）を介し回転ローラ（９）が回転して昇降ブロック（７）が降下し、連結する押しロット（２４）が下がる。
押しロット（２４）は下部が容器頂部に接しており容器（２２）内の接着材（２３）を押し、押し出された接着材がトイレットペーパ上面に落下して付着する。
容器（２２）の中に封入される接着材は硬化しにくくて粘着力が弱く、すぐにはがれるものを使用する。
その後にモータ（２０）の逆回転により回転ローラ（９）が逆回転して昇降ブロック（７）が上昇し、連結する押しロットも上昇する。
伝動歯車（２１）と引き出しローラ（８）はベルト（１０）で連結されている。
伝動歯車（２１）の回転により引き出しローラ（８）が回転するが、一方向回転となっており、上昇時のみ回転を行い一定量のトイレットペーパーが引き出され次回の接着材の付着の準備を行う。
なお、毎回の昇降ブロック（４）の降下量は加算されて降下するために一定の接着材が押し出されるようになる。
【発明の実施の形態４】
【００１８】  請求項４に記載の接着材供給手段から供給される接着材の一部をトイレットペーパに付着させる接着材貼り付け手段の断面図が図６であり、図７は図６のＡ−Ａセクションの平面図であり、図８は図６のＢ−Ｂセクションの平面図である。
モータ（２０）が起動し伝動歯車（２１）が回転し、歯車を介し回転ブロック（２７）が回転する。
回転ブロック（２７）の内側にはネジが切ってあり、ネジを介して押さえブロック（１６）と接触している。
回転ブロック（２７）の回転により押さえブロック（１６）は回転しようとするが、シャフト（２６）により回転が阻止されるために、押さえブロック（１６）はシャフト（２６）に沿って降下する。
なお、シャフト（２６）はシャフト端部（２８）では断面が小さくなり円柱になり、ネジが切ってある。
押さえブロック（１６）が降下して頂部がシャフト端部（２８）を通過すると拘束が外れて回転を始める。押さえブロック（１６）の回転により刳り抜きロット（１４）が回転する。
刳り抜きロット（１４）の内側にはネジが切ってあり、シャフト端部（２８）とネジで接している。
押さえブロック（１６）、刳り抜きロット（１４）は回転しながらシャフト端部（２８）を降下する。
押さえブロック（１６）が当て板（１７）の上面にある両面テープ（２５）まで降下し、両面テープ（２５）の一部を切断した後にネジ端部（２５）で止まり回転のみを行う。
刳り抜きロット（１４）は回転しながらシャフト端部（２８）に沿って降下し、両面テープ（２５）の−部を刳り抜きトイレットペーパ（３）の上面に押し当て、付着する。
その後にモータ（２０）の逆回転により回転ブロック（２７）が逆回転し、刳り抜きロット（１４）、押さえブロック（１６）が上昇する。
【図面の簡単な説明】
【００１９】
【図１】実施形態１に係わる請求項１に記載のトイレットペーパホルダーの外観図である。
【図２】実施形態２に係わる請求項２に記載のトイレットペーパホルダーの断面図である。
【図３】実施形態２に係わる請求項２に記載のトイレットペーパホルダーの平面図である。
【図４】実施形態３に係わる請求項３に記載のトイレットペーパホルダーの断面図である。
【図５】実施形態３に係わる請求項３に記載のトイレットペーパホルダーの平面図である。
【図６】実施形態４に係わる請求項４に記載のトイレットペーパホルダーの断面図である。
【図７】図６のＡ−Ａセクションにおける平面図である。
【図８】図６のＢ−Ｂセクションにおける平面図である。
【符号の説明】
【００２０】    １  躯体
２  押しボタン
３  トイレットペーパ
４  両面テープ
５  トイレットペーパロール
６  両面テープロール
７  昇降ブロック
８  引き出しローラ
９  回転ローラ
１０  ベルト
１１  テープ巻取り車
１２  バネ
１３  ストッパー
１４  刳り抜きロット
１５  裏当板
１６  押さえブロック
１７  当て板
１８  取り出し口
１９  壁
２０  モータ
２１  伝動歯車
２２  容器
２３  接着材
２４  押しロット
２５  ネジ端部
２６  シャフト
２７  回転ブロック
２８  シャフト端部
【図１】
2006087886.tif 000003
【図２】
2006087886.tif 000004
【図３】
2006087886.tif 000005
【図４】
2006087886.tif 000006
【図５】
2006087886.tif 000007
【図６】
2006087886.tif 000008
【図７】
2006087886.tif 000009
【図８】
2006087886.tif 000010